(57)【要約】【課題】本発明は，矯正対象の歯を移動させたい方向に合わせて，アーチワイヤの荷重方向を選択し，アーチワイヤの荷重を矯正対象の歯に効率よく加えることができる歯列矯正用ブラケットを提供することを目的とする。【解決手段】上記課題は，ベース部１１０と，ベース部１１０に対向するように，ベース部１１０に連結して設けられた前板部１２０とを備え，更に，ワイヤを保持するために，ベース部１１０と前板部１２０の間に溝状に形成された第１および第２のスロット１４０，１５０を有し，第１のスロット１４０の底面１４０ａおよびベース部１１０の裏面のなす角度と，前記第２のスロット１５０の底面１５０ａおよびベース部１１０の裏面のなす角度とが，互いに異なるように形成された歯列矯正用ブラケット１００によって，解決される。【選択図】図１
2010274110.tif 000002
【特許請求の範囲】
【請求項１】
ベース部（１１０）と，
前記ベース部（１１０）に対向するように，前記ベース部（１１０）に連結して設けられた前板部（１２０）とを備え，
前記ベース部（１１０）と前記前板部（１２０）との間で，ワイヤを保持する歯列矯正用ブラケットであって，
前記ワイヤを保持するために，前記ベース部（１１０）と前記前板部（１２０）の間に溝状に形成された第１および第２のスロット（１４０，１５０）を有し，
前記第１および第２のスロット（１４０，１５０）は，前記ベース部（１１０）側に平面状の底面（１４０ａ，１５０ａ）を有し，
前記第１のスロットの底面（１４０ａ）および前記ベース部（１１０）の裏面のなす角度と，前記第２のスロットの底面（１５０ａ）および前記ベース部（１１０）の裏面のなす角度とが，異なるように形成されたことを特徴とする歯列矯正用ブラケット。
【請求項２】
前記第１のスロットの底面（１４０ａ）および前記ベース部（１１０）の裏面のなす角度と，前記第２のスロットの底面（１５０ａ）および前記ベース部（１１０）の裏面のなす角度のうちの一方は，０度である請求項１に記載の歯列矯正用ブラケット。
【請求項３】
前記第１のスロット（１４０）が延びる方向と，前記第２のスロット（１５０）が延びる方向とは平行である請求項１に記載の歯列矯正用ブラケット。
【請求項４】
前記第１および第２のスロット（１４０，１５０）は，前記ワイヤの断面形状に合わせて形成された請求項１に記載の歯列矯正用ブラケット。
【請求項５】
前記第１および第２のスロット（１４０，１５０）は，前記前板部（１２０）に対向して設けられており，
前記第１および第２のスロット（１４０，１５０）が形成された領域が，前記前板部（１２０）を前記ベース部（１１０）側に投影した領域の内側に含まれるように，前記前板部（１２０）が形成された請求項１に記載の歯列矯正用ブラケット。
【請求項６】
前記ベース部（１１０）の裏面には，凹状の溝（１１３）が形成されている請求項１に記載の歯列矯正用ブラケット。
【請求項７】
前記ベース部（１１０）の裏面の中央部には，凹状の曲面（１１１）が形成され，
前記ベース部（１１０）の裏面の前記中央部を挟む両端部には，平面（１１２）が形成されている請求項１に記載の歯列矯正用ブラケット。
【発明の詳細な説明】
【技術分野】
【０００１】
本発明は，アーチワイヤなどのワイヤを保持する歯列矯正用ブラケットに関する。
【背景技術】
【０００２】
歯列矯正用のブラケットやチューブを歯に固定し，ワイヤなどの弾性を利用する歯列の矯正方法が知られている。歯列矯正用ブラケットは，アーチワイヤの曲げや引っ張りにより生じる荷重を矯正したい歯に加えるために，患者の歯に固定されて使用される。
【０００３】
従来の歯列矯正用ブラケットには，ブラケット本体表側の中央部にスロット（溝）が形成されている。また，このスロットにはアーチワイヤがはめ込まれ，アーチワイヤが，ブラケット本体に形成された一対のウイングにくくりつけられる。矯正治療の際には，まずブラケット本体を歯の表面に接着剤により固定し，各ブラケット本体のスロット内にアーチワイヤをはめ込んだ後，アーチワイヤを一対のウイングにくくりつけていた。これにより，矯正したい歯にアーチワイヤの荷重を加えていた（例えば特許文献１）。
【先行技術文献】
【特許文献】
【０００４】
【特許文献１】特開平６−２３３７８１号公報
【発明の概要】
【発明が解決しようとする課題】
【０００５】
しかしながら，特許文献１に記載の歯列矯正用ブラケットでは，スロットは，ブラケット本体の中央部に，ブラケット本体と歯との接着面に対して垂直に溝状に形成されている。このため，アーチワイヤの荷重は常に歯の表面に対して垂直な方向に加えられていた。したがって，例えば上下にずれた歯を矯正しようとする場合，歯を移動させたい上下方向にアーチワイヤの荷重を効率よく加えることができないという問題があった。
【０００６】
本発明は，矯正対象の歯を移動させたい方向に合わせて，アーチワイヤの荷重方向を選択し，アーチワイヤの荷重を矯正対象の歯に効率よく加えることができる歯列矯正用ブラケットを提供することを目的とする。
【課題を解決するための手段】
【０００７】
本発明における歯列矯正用ブラケット１００は，ベース部１１０と，ベース部１１０に対向するように，ベース部１１０に連結して設けられた前板部１２０とを備えている。歯列矯正用ブラケット１００は，ベース部１１０と前板部１２０との間で，ワイヤを保持する。歯列矯正用ブラケット１００は，ワイヤを保持するために，ベース部１１０と前板部１２０の間に溝状に形成された第１および第２のスロット１４０，１５０を有している。第１および第２のスロット１４０，１５０は，ベース部１１０側に平面状の底面１４０ａ，１５０ａを有している。歯列矯正用ブラケット１００は，第１のスロット１４０の底面１４０ａおよびベース部１１０の裏面がなす角度と，第２のスロット１５０の底面１５０ａおよびベース部１１０の裏面がなす角度とが異なるように形成されている。
【０００８】
この構成において，各スロット１４０，１５０の底面１４０ａ，１５０ａの向きを変更（設定）することにより，ワイヤ２００がスロット１４０，１５０に保持された際に歯の表面に加わる荷重方向を変更（決定）することができる。本発明では，第１のスロット１４０の底面１４０ａおよびベース部１１０の裏面のなす角度と，第２のスロット１５０の底面１５０ａおよびベース部１１０の裏面のなす角度とが，異なる。このため，矯正したい歯に加えるべき荷重方向に合わせて，２つのスロットから１つのスロットを選択することができる。この結果，矯正対象の歯を移動させたい方向に合わせて，ワイヤの荷重方向を選択し，ワイヤの荷重を矯正対象の歯に効率よく加えることができる。
【０００９】
本発明における歯列矯正用ブラケット１００において，第１のスロット１４０の底面１４０ａおよびベース部１１０の裏面のなす角度と，第２のスロット１５０の底面１５０ａおよびベース部１１０の裏面のなす角度のうちの一方は０度である。すなわち，第１のスロット１４０の底面１４０ａとベース部１１０の裏面とが平行であるか，又は第２のスロット１５０の底面１５０ａベース部１１０の裏面とが平行である。これにより，第１または第２のスロット１４０，１５０のいずれかにおいて，矯正対象の歯の表面に対して略垂直方向にワイヤの荷重を加えることができる。
【００１０】
本発明における歯列矯正用ブラケット１００において，第１のスロット１４０が延びる方向と，第２のスロット１５０が延びる方向とが，互いに略平行である。これにより，矯正対象の歯に対する第１のスロット１４０と第２のスロット１５０の配置を上下で入れ換えることにより，ワイヤの荷重方向を簡単に切り換えることができる。このようにして，リバース利用できる歯列矯正用ブラケットを提供することができる。
【００１１】
本発明における歯列矯正用ブラケット１００において，第１および第２のスロット１４０，１５０は，ワイヤ断面形状に合わせて形成されている。これにより，ワイヤを第１または第２のスロット１４０，１５０内に確実に保持することできる。
【００１２】
本発明における歯列矯正用ブラケット１００において，第１および第２のスロット１４０，１５０は，前板部１２０に対向して設けられている。また，第１および第２のスロット１４０，１５０が形成された領域が，前板部１２０をベース部１１０側に投影した領域の内側に含まれるように，前板部１２０が形成されている。
【００１３】
これにより，前板部１２０側から各スロット１４０，１５０を見ようとした場合，各スロット１４０，１５０が前板部１２０の影となり，各スロット１４０，１５０を見ることはできない。このため，ワイヤ２００が第１または第２のスロット１４０，１５０に保持された際に，ワイヤ２００が前板部１２０により遮蔽され，前板部１２０側からワイヤ２００を見ることができない。この結果，ワイヤ２００を他人から見えないようにすることができ，審美性を高めることができる。
【００１４】
本発明における歯列矯正用ブラケット１００において，ベース部１１０の裏面には，凹状の溝１１３が形成されている。これにより，ベース部１１０の裏面を矯正対象の歯の表面に接着剤により取り付けた際に，ベース部１１０の裏面と歯の表面との間で，接着剤を保持することができる。この結果，歯列矯正用ブラケット１００を，歯の表面に確実に取り付けることができる。
【００１５】
本発明における歯列矯正用ブラケット１００において，ベース部１１０の裏面の中央部には，第１および第２のスロット１４０，１５０が延びる方向に沿って，凹状の曲面１１１が形成されている。この凹状の部分にアーチワイヤが保持される。第１および第２のスロット１４０，１５０が延びる方向は，平行であることが好ましい。第１および第２のスロット１４０，１５０が延びる方向が平行なので，歯列矯正用ブラケット１００を１８０度回転させることで，第１又は第２のスロット１４０，１５０を切り替えて用いることができることとなる。また，ベース部１１０の裏面の中央部を挟む両端部には，平面１１２が形成されている。これにより，中切歯や側切歯のように歯の表面が平面状の場合には，ベース部１１０の裏面に形成された平面１１２を歯の表面に密着させることができる。一方，犬歯や小臼歯や大臼歯のように歯の表面が曲面状の場合には，ベース部１１０の裏面に形成された曲面１１１を歯の表面に密着させることができる。このように，切歯から臼歯までの様々な歯の表面に，歯列矯正用ブラケット１００を確実に取り付けることができる。
【００１６】
なお，本発明は，上記した各構成に限定されない。すなわち，以下の実施形態の説明の通り，上記の各構成に含まれる構成要素を，それぞれが属する構成を超えて組み合わせることもできる。
【発明の効果】
【００１７】
本発明は，矯正対象の歯を移動させたい方向に合わせて，ワイヤの荷重方向を選択し，ワイヤの荷重を矯正対象の歯に効率よく加えることができる歯列矯正用ブラケットを提供できる。
【発明を実施するための形態】
【００１８】
以下に本発明の実施の形態における歯列矯正用ブラケットの構成の例を図に基づいて説明する。
【００１９】
図１は本発明の歯列矯正用ブラケットの構成を示す斜視図である。図１（ａ）は上面側から視た斜視図，図１（ｂ）は裏面側から視た斜視図である。図２は本発明の歯列矯正用ブラケットの構成を示す図である。図２（ａ）は構成を示す平面図であり，図２（ａ）は図１（ａ）のＡ矢視図であり，図２（ｂ）は図１（ａ）のＢ矢視図である。
【００２０】
図１および図２に示されるように，本発明の歯列矯正用ブラケット１００は，ベース部１１０と，前板部１２０と，支柱部１３０と，第１のスロット１４０と，第２のスロット１５０と，バーティカルホール１６０とを備える。歯列矯正用ブラケット１００の大きさの例は，縦横共に３ｍｍ以下，高さは３ｍｍ以下である。ここで，歯列矯正ブラケット１００の横寸法は，図２（ａ）の紙面上にて左右方向の大きさである。歯列矯正ブラケット１００の縦寸法は図２（ｂ）の紙面上にて左右方向の大きさである。歯列矯正ブラケット１００の縦寸法は，歯列矯正ブラケットにおけるスロットの長手方向の大きさともいえる。歯列矯正ブラケット１００の高さ寸法は図２（ａ）および図２（ｂ）の紙面上にて上下方向の大きさである。歯列矯正ブラケット１００の高さ寸法は，ベース部１１０の底面から前板部１２０の上面までの距離ともいえる。この例では，支柱部１３０の両脇に第１のスロット１４０と，第２のスロット１５０とが形成されている。すなわち，この例では，ベース部１１０が支柱部１３０を介して前板部１２０と連結されている。支柱部１３０の幅は，ベース部の幅や前板部の幅より狭くなっており，これにより支柱部１３０の両脇に第１のスロット１４０と，第２のスロット１５０とが形成されている。
【００２１】
歯列矯正用ブラケット１００の材料には，例えば，セラミック（ジルコニア粒子を含むことが好ましい）やプラスティック樹脂（例えばポリカーボネート），ステンレス（例えばＳＵＳ３０４Ｌ）などが用いられる。歯列矯正用ブラケット１００は，歯の表面に接着剤により取り付けられて使用される。
【００２２】
ベース部１１０は，略矩形状の裏面を有し，歯列矯正用ブラケット１００の底部に位置する。ベース部１１０の大きさの例は，縦横共に３ｍｍ以下，高さが１ｍｍ以下である。ベース部１１０の裏面は，接着剤を介して，矯正対象の歯の表面に取り付けられる。これにより，歯列矯正用ブラケット１００が矯正対象の歯に固定される。なお，ベース部１１０の裏面は矩形状であるものを用いて説明したが，これに限定されない。
【００２３】
図１（ｂ）および図２（ｂ）に示されるように，ベース部１１０の裏面には，凹状の曲面１１１と２つの平面１１２が形成されているものが好ましい。凹状の曲面１１１は，ベース部１１０の裏面の中央部に形成されている。この曲面１１１は，第１および第２のスロット１４０，１５０が溝状に延びる方向に沿って形成されている。なお，この曲面の曲率は例えば数ｍｍ〜十数ｍｍに設定される。一方，２つの平面１１２は，凹状の曲面１１１を挟むように，ベース部１１０の裏面の両端部に形成されている。
【００２４】
これにより，歯列矯正用ブラケット１００を歯の表面が平面状の歯に付ける場合は，ベース部１１０の裏面に形成された平面１１２を歯の表面に密着させることができる。歯の表面が平面状の歯として中切歯及び側切歯があげられる。一方，歯列矯正用ブラケット１００を，歯の表面が曲面状である歯につける場合は，ベース部１１０の裏面に形成された曲面１１１を歯の表面に密着させることができる。歯の表面が曲面状の歯として，犬歯，小臼歯及び大臼歯があげられる。このように，ベース部１１０の裏面には，凹状の曲面１１１と２つの平面１１２が形成されているので，切歯から臼歯までの様々な歯の表面に，歯列矯正用ブラケット１００を確実に取り付けることができる。
【００２５】
前板部１２０は，略矩形状の板部材により形成されている。前板部はベース部と対向しており，前板部とベース部とは平行な位置関係となる。前板部１２０の大きさの例は，縦横共に３ｍｍ以下，高さが１ｍｍ以下である。前板部１２０とベース部１１０は，支柱部１３０により連結されている。
【００２６】
図１（ａ）および図２（ａ）に示されるように，第１のスロット１４０と第２のスロット１５０は，前板部１２０に対向して設けられている。第１のスロット１４０と第２のスロット１５０は，ベース部１１０の表面側と前板部１２０の裏面側の間に，コの字の溝状に形成されている。各スロット１４０，スロット１５０の幅の例は，０．５ｍｍ，深さの例は０．５ｍｍである。これら第１のスロット１４０または第２のスロット１５０を構成する溝内には，ワイヤが保持される。
【００２７】
ワイヤには，個人の歯の形態や治療ステップに合わせて歯科矯正医がワイヤを曲げて使用する直線状のものや，既に平均的な歯の形態に合わせて曲げられているアーチ状のもの（アーチワイヤ）がある。なお，以下の本発明の説明では，アーチワイヤを用いるものとして説明する。ただし，本発明のワイヤは，アーチワイヤに限られない。アーチワイヤは，弾性を利用して歯を移動させる際に用いられるワイヤであって，その材料には通常，ステンレス鋼や，コバルトクロム合金や，ニッケルチタン合金などが用いられる。
【００２８】
第１のスロット１４０および第２のスロット１５０の各溝は，アーチワイヤの断面形状に合わせて形成される。すなわち，アーチワイヤの断面形状が正方形であれば，各スロット１４０，１５０を構成する溝の形状も正方形に対応させる。アーチワイヤの断面形状が長方形であれば，各スロット１４０，１５０を構成する溝の形状も長方形に対応させる。このように，アーチワイヤの断面形状に合わせて各スロット１４０，１５０を構成する溝を形成することにより，アーチワイヤを各スロット１４０，１５０内に確実に保持することができる。なお，第１のスロット１４０および第２のスロット１５０の溝内に角部がある場合には，この角部に対して面取り処理を施している。これにより，アーチワイヤの外面と各スロット１４０，１５０との間で生じる摩擦を低減することができる。
【００２９】
ここで，図２（ａ）に示されるように，第１のスロット１４０と第２のスロット１５０は，ベース部１１０側に平面状の底面１４０ａ，１５０ａを有している。第１のスロット１４０の底面１４０ａと，第２のスロット１５０の底面１５０ａは，ベース部１１０の裏面を基準面とした場合において，それぞれ異なる角度に傾いている。図２（ａ）の例では，第１のスロット１４０の底面１４０ａは，ベース部１１０の裏面に対して略平行に形成されている。つまり，第１のスロット１４０の底面１４０ａと，ベース部１１０の裏面とがなす角度は，約０度である。
【００３０】
一方，第２のスロット１５０の底面１５０ａは，ベース部１１０の裏面に対してθ度傾いて形成されている。言い換えると，第２のスロット１５０の底面１５０ａと，ベース部１１０の裏面とがなす角度は，θ度となる。θは例えば１度〜４５度である。θを４５度よりも大きくすると，支柱部１３０を前板部１２０に連結することができなくなる。θの別の例は，５度〜３０度であり，１０度〜２５度でもよい。また，アーチワイヤ２００が外れにくいように，第２のスロット１５０の中心線が，支柱部１３０側に傾くように構成されている。また，第１のスロット１４０の溝が延びる方向と，第２のスロット１５０の溝が延びる方向は，互いに略平行になるように構成されている。
【００３１】
図２（ｂ）に示されるように，バーティカルホール１６０は，両スロット１４０，１５０の溝が延びる方向に対して略垂直方向に，ベース部１１０を貫通して形成される。バーティカルホール１６０の大きさは，内径０．５ｍｍである。バーティカルホール１６０の大きさの例は内径０．１ｍｍ以上２ｍｍ以下である。バーティカルホール１６０には，スプリング，リガチャーワイヤなどを挿入できる。スプリングをバーティカルホール１６０に挿入することで，歯の傾きを矯正できる。リガチャーワイヤをバーティカルホール１６０に挿入することで，ブラケット１００の位置を保持でき，また歯を牽引できる。
【００３２】
次に，本発明の歯列矯正用ブラケット１００の使用例について図に基づいて説明する。
図３は本発明の実施の形態における歯列矯正用ブラケットの使用例を示す図である。図３（ａ）は歯列矯正用ブラケットを歯の表面に固定し，歯列矯正用ブラケットにアーチワイヤが保持された状態を示す斜視図であり，図３（ｂ）は図３（ａ）のＣ矢視図である。図３（ａ）の上側および図３（ｂ）の左側を，歯の上側（上顎の歯の場合は歯茎側）として例示する。
【００３３】
図３（ａ）および図３（ｂ）に示されるように，歯列矯正用ブラケット１００は，矯正対象の歯の表面Ｔに接着剤により固定されて使用される。歯列矯正用ブラケット１００は，通常は複数の歯に固定され，アーチワイヤ２００を保持する。スロットに挿入されたワイヤと前板部との間にリガチャーワイヤを入れることで，ワイヤを固定してもよい。また，スロットに挿入されたワイヤと前板部との間に合成ゴムを入れることで，ワイヤを固定してもよい。この際，本発明の歯列矯正用ブラケット１００は，前板部が存在するため，アーチワイヤとリガチャーワイヤとの間の摩擦や，アーチワイヤと合成ゴムとの間の摩擦を制御できることとなる。このようにアーチワイヤにかかる摩擦を制御できることは，矯正治療において大変有効である。図３（ａ）および図３（ｂ）において実線で示す例では，アーチワイヤ２００は，第１のスロット１４０に保持されている。
【００３４】
第１のスロット１４０を構成する底面１４０ａは，上述の通り，ベース部１１０の裏面に対して略平行に形成されている。つまり，第１のスロット１４０の底面１４０ａと，ベース部１１０の裏面とがなす角度は，約０度である。このため，アーチワイヤ２００が歯列矯正用ブラケット１００に保持されることにより，アーチワイヤ２００の荷重がベース部１１０の裏面に対して略垂直方向に加わる。なお，アーチワイヤ２００が第１のスロット１４０に保持されている場合，第２のスロット１５０にはたとえば脱着式のフックを装着できる。これにより，脱着式のフックにゴムを引っ掛けることができるようになる。このように，アーチワイヤを挿入しない方のスロットも，矯正における様々な用途に用いることができることとなる。
【００３５】
次に，アーチワイヤ２００が第２のスロット１５０に保持されている状態を見る。図３（ｂ）には，第２のスロット１５０にアーチワイヤ２００が保持された状態を一点鎖線（仮想線）で表している。
【００３６】
第２のスロット１５０を構成する底面１５０ａは，上述の通り，ベース部１１０の裏面に対してθ度傾いて形成されている。つまり，第２のスロット１５０を構成する溝の底面１５０ａと，ベース部１１０の裏面とがなす角度は，θ度である。この場合，アーチワイヤ２００は，ねじるようにして第２のスロット１５０に挿入される。このため，第２のスロット１５０には，アーチワイヤが元に戻ろうとする力（復元力）が加わることとなる。このアーチワイヤ２００の復元力は，具体的には，図３（ｂ）に示すように，時計回りの旋回力である。そして，この旋回力は，ベース部１１０を介して歯に伝わり，歯を時計回りに旋回させるように作用することとなる。このような旋回力を歯に継続的に作用させることで，歯を，図３（ｂ）に示す方向に移動させることができる。これにより，歯列を矯正することができる。
【００３７】
このように，各スロット１４０，１５０の底面１４０ａ，１５０ａの向きを変更（設定）することにより，ワイヤ２００がスロット１４０，１５０に保持された際に歯の表面に加わる荷重方向を変更（決定）することができる。本発明では，第１のスロット１４０の底面１４０ａおよびベース部１１０の裏面のなす角度と，第２のスロット１５０の底面１５０ａおよびベース部１１０の裏面のなす角度とが，互いに異なる。このため，矯正したい歯に対して加えるべき荷重方向に合わせて，２つのスロット１４０，１５０から１つのスロットを選択することができる。この結果，矯正対象の歯を移動させたい方向に合わせて，アーチワイヤ２００の荷重方向を選択し，アーチワイヤ２００の荷重を矯正対象の歯に効率よく加えることができる。
【００３８】
ここで，図３（ｂ）に示されるように，第１および第２のスロット１４０，１５０は，前板部１２０の裏面に対向するように配置されている。すなわち，支柱部１３０の幅は，前板部の幅より狭くなっており，これにより支柱部１３０の両脇に第１のスロット１４０と，第２のスロット１５０とが形成されている。第１および第２のスロット１４０，１５０が形成された領域が，前板部１２０をベース部１１０側に投影した領域の内側に含まれる。
【００３９】
このようにして，第１および第２のスロット１４０，１５０と，前板部１２０とを配置することにより，前板部１２０側から各スロット１４０，１５０を見ようとした場合，各スロット１４０，１５０が前板部１２０の影となり，各スロット１４０，１５０を見ることはできない。このため，アーチワイヤ２００が第１または第２のスロット１４０，１５０に保持された際に，アーチワイヤ２００が前板部１２０により遮蔽され，前板部１２０側から，保持されたアーチワイヤ２００を見ることができない。この結果，アーチワイヤ２００を他人から見えないようにすることができ，審美性を高めることができる。
【００４０】
また，特許文献１に記載の従来の歯列矯正用ブラケットでは，アーチワイヤはブラケットの中央部に保持されていた。このため，例えば，歯列矯正用ブラケット１００を下顎の前歯に取り付けた場合，上顎の歯がアーチワイヤを咬み込んでしまうことがあった。これに対して，本発明の歯列矯正用ブラケット１００では，中央部から偏った位置に形成された第１または第２のスロット１４０，１５０にアーチワイヤ２００が保持される。したがって，本発明の歯列矯正用ブラケット１００では，アーチワイヤ２００は，歯列矯正用ブラケット１００の中央部から偏った位置で保持される。このため，例えば，歯列矯正用ブラケット１００を下顎の前歯に取り付けた場合において，下顎の歯の下側（歯茎側）に歯列矯正用ブラケット１００が偏って配置されるように，歯列矯正用ブラケット１００を歯に固定することができる。このようにすることで，アーチワイヤ２００の上部に存在する歯列矯正用ブラケット１００部分を少なくすることができる。これにより，上顎の歯が歯列矯正用ブラケット１００を咬み込みにくくすることができる。
【００４１】
先に説明したように，本発明の歯列矯正用ブラケット１００は，矯正対象の歯に対する第１のスロット１４０と第２のスロット１５０の配置を上下で入れ換えるだけで，アーチワイヤ２００の荷重方向（歯に対する負荷方向）を簡単に切り換えることができる。このようにして，リバース利用できる歯列矯正用ブラケットを提供することができる。なお，本発明は，リバース利用できるブラケットに限定されることはなく，上述した第２のスロットのみが形成されたブラケットであってもよい。その場合には，矯正対象の歯に合わせて，第２のスロットの底面とベース部１１０の裏面とがなす角度が設定される。
【００４２】
以上，本発明の実施の形態を例示により説明したが，本発明の範囲はこれらに限定されるものではなく，目的に応じて変更または変形することが可能である。
【００４３】
上記実施形態の説明では，第１のスロット１４０の底面１４０ａは，ベース部１１０の裏面に対して略平行に形成されているとした。このとき，第１のスロット１４０の底面１４０ａと，ベース部１１０の裏面とがなす角度は，約０度である。しかし，第１のスロット１４０の底面１４０ａと，ベース部１１０の裏面とがなす角度は，約０度でなくてもよい。つまり，第２のスロット１５０と同じように，第１のスロット１４０の底面１４０ａを，ベース部１１０の裏面に対してδ度傾いて形成してもよい。このとき，第１のスロット１４０の底面１４０ａと，ベース部１１０の裏面とがなす角度は，δ度となる。この場合においても，δは例えば０度〜４５度程度である（ただし，θ≠δ）。このような構成であっても上述した本発明の効果を奏する。
【００４４】
図４は，本発明の歯列矯正用ブラケットの変形例におけるベース部の裏面を示す。図４に示されるように，本発明において，ベース部１１０の裏面には，接着剤用溝１１３（ハッチィング部分）が複数形成してもよい。これにより，ベース部１１０の裏面を矯正対象の歯の表面に接着剤により取り付けた際に，ベース部１１０の裏面と歯の表面との間に接着剤を保持することができる。この結果，歯列矯正用ブラケット１００を歯の表面に確実に取り付けることができる。
【産業上の利用可能性】
【００４５】
本発明は，アーチワイヤなどのワイヤを保持する歯列矯正用ブラケットに関する技術分野において利用されうる。
【図面の簡単な説明】
【００４６】
【図１】図１は本発明の実施の形態における歯列矯正用ブラケットの構成を示す斜視図であり，図１（ａ）は上面側から視た斜視図，図１（ｂ）は裏面側から視た斜視図である。
【図２】図２は本発明の実施の形態における歯列矯正用ブラケットの構成を示す平面図であり，図２（ａ）は図１（ａ）のＡ矢視図であり，図２（ｂ）は図１（ａ）のＢ矢視図である。
【図３】図３は本発明の実施の形態における歯列矯正用ブラケットの使用例を示す図であり，図３（ａ）は歯列矯正用ブラケットを歯の表面に固定し，歯列矯正用ブラケットにアーチワイヤが保持された状態を示す斜視図であり，図３（ｂ）は図３（ａ）のＣ矢視図である。
【図４】図４は，本発明の歯列矯正用ブラケットの変形例におけるベース部の裏面図である。
【符号の説明】
【００４７】
１００  歯列矯正用ブラケット
１１０  ベース部
１１１  曲面
１１２  平面
１１３  接着剤用溝
１２０  前板部
１３０  支柱部
１４０  第１のスロット
１５０  第２のスロット
１６０  バーティカルホール
２００  アーチワイヤ
【図１】
2010274110.tif 000003
【図２】
2010274110.tif 000004
【図３】
2010274110.tif 000005
【図４】
2010274110.tif 000006